(57)【特許請求の範囲】
【請求項１】
当り図柄及びはずれ図柄からなる複数の普通図柄の内の何れかの図柄を選択的に表示するための普通図柄表示装置と、
パチンコ球が始動口に入賞した場合または始動ゲートを通過した場合に前記普通図柄表示装置に図柄を変動表示させる図柄変動手段と、
該図柄変動手段による前記普通図柄表示装置の図柄の変動表示を解除して当該普通図柄表示装置に図柄を停止表示させる図柄停止手段と、
該図柄停止手段が停止表示させた図柄が当り図柄である場合に予め設定された変動禁止時間だけ前記図柄変動手段の作動を禁止する変動禁止手段と、
前記図柄停止手段が停止表示させた図柄が当り図柄である場合に予め設定された開口時間だけ開口する特定入賞口と、
該特定入賞口内の一部に設定される特別装置作動領域と、
前記特定入賞口の開口中に前記特定入賞口に入賞したパチンコ球が前記特別装置作動領域に到達した場合に遊技者にとって有利な遊技状態へ移行するための権利を発生させる権利発生手段と、
前記始動口及び前記特定入賞口とは別に設けられた第３種始動口と、
前記権利が発生している状態でパチンコ球が前記第３種始動口に入賞した場合に開口する大入賞口と
を備えたパチンコ遊技機において、
前記特定入賞口の開口中における当該特定入賞口へのパチンコ球の入賞状況または当該特定入賞口にパチンコ球が入賞することによって作動する装置の作動状況に基づいて前記権利が発生する可能性があるかないかを判断する権利発生判断手段と、
該権利発生判断手段により前記権利が発生する可能性がないと判断された場合に前記変動禁止手段による禁止を解除して前記図柄変動手段の作動を許可する変動許可手段と
を設けたことを特徴とするパチンコ遊技機。
【請求項２】
前記権利発生判断手段は、
前記特定入賞口にパチンコ球が入賞したことを検出するための入賞検出手段と、
前記特定入賞口の開口中に前記入賞検出手段によってパチンコ球の入賞が検出されない場合に前記権利が発生する可能性がないと判断する第１判断手段とを備えることを特徴とする請求項１に記載のパチンコ遊技機。
【請求項３】
前記特定入賞口は、開口中に入賞したパチンコ球を一時的に停留させると共に閉塞後に停留を解除してパチンコ球を特別装置作動領域に向けて移動させる停留装置を備えるものであり、
前記権利発生判断手段は、前記停留装置にパチンコ球が停留したことを検出するための停留検出手段と、
該停留検出手段によって前記特定入賞口の開口中に入賞したパチンコ球の前記停留装置への停留が検出されない場合に前記権利が発生する可能性がないと判断する第２判断手段と備えることを特徴とする請求項１または２に記載のパチンコ遊技機。
【請求項４】
前記特定入賞口は、１回の開口中に入賞したパチンコ球の個数が予め設定された条件個数以上である場合に入賞したパチンコ球を特別装置作動領域に向けて移動させる個数判断装置を備えるものであり、
前記権利発生判断手段は、１回の開口中に前記特定入賞口に入賞したパチンコ球を計数するための入賞計数手段と、
該入賞計数手段によって計数されたパチンコ球の個数が前記条件個数未満である場合に前記権利が発生する可能性がないと判断する第３判断手段とを備えることを特徴とする請求項１または２に記載のパチンコ遊技機。
【請求項５】
当り図柄及びはずれ図柄からなる複数の判定図柄の内の何れかの図柄を選択的に表示するための判定図柄表示装置と、
前記特定入賞口内の一部に設定される判定図柄作動領域と、
前記特定入賞口の開口中に入賞したパチンコ球が前記判定図柄作動領域に到達した場合に前記判定図柄表示装置に図柄を変動表示させる判定図柄変動手段と、
該判定図柄変動手段による前記判定図柄表示装置の図柄の変動表示を解除して当該判定図柄表示装置に図柄を停止表示させる判定図柄停止手段と、
該判定図柄停止手段が停止表示させた図柄が当り図柄である場合に前記特定入賞口に入賞したパチンコ球を特別装置作動領域に向けて移動させる図柄判断手段とを備え、
前記権利発生判断手段は、前記判定図柄停止手段が停止表示させた図柄がはずれ図柄である場合に前記権利が発生する可能性がないと判断する第４判断手段を備えることを特徴とする請求項１または２に記載のパチンコ遊技機。
【請求項６】
当り図柄及びはずれ図柄からなる複数の普通図柄の内の何れかの図柄を選択的に表示するための普通図柄表示装置と、
パチンコ球が始動口に入賞した場合または始動ゲートを通過した場合に前記普通図柄表示装置に図柄を変動表示させる図柄変動手段と、
該図柄変動手段による前記普通図柄表示装置の図柄の変動表示を解除して当該普通図柄表示装置に図柄を停止表示させる図柄停止手段と、
該図柄停止手段が停止表示させた図柄が当り図柄である場合に予め設定された変動禁止時間だけ前記図柄変動手段の作動を禁止する変動禁止手段と、
前記図柄停止手段が停止表示させた図柄が当り図柄である場合に予め設定された開口時間だけ開口する特定入賞口と、
当り図柄及びはずれ図柄からなる複数の判定図柄の内の何れかの図柄を選択的に表示するための判定図柄表示装置と、
前記特定入賞口内の一部に設定される特別装置作動領域と、
パチンコ球が前記特別装置作動領域に到達した場合に前記判定図柄表示装置に図柄を変動表示させる判定図柄変動手段と、
該判定図柄変動手段による前記判定図柄表示装置の図柄の変動表示を解除して当該判定図柄表示装置に図柄を停止表示させる判定図柄停止手段と、
該判定図柄停止手段が停止表示させた図柄が当り図柄である場合に遊技者にとって有利な遊技状態へ移行するための権利を発生させる権利発生手段と、
前記始動口及び前記特定入賞口とは別に設けられた第３種始動口と、
前記権利が発生している状態でパチンコ球が前記第３種始動口に入賞した場合に開口する大入賞口と
を備えたパチンコ遊技機において、
前記特定入賞口の開口中における当該特定入賞口へのパチンコ球の入賞状況または当該特定入賞口にパチンコ球が入賞することによって作動する装置の作動状況に基づいて前記権利が発生する可能性があるかないかを判断する権利発生判断手段と、
該権利発生判断手段により前記権利が発生する可能性がないと判断された場合に前記変動禁止手段による禁止を解除して前記図柄変動手段の作動を許可する変動許可手段と
を設けたことを特徴とするパチンコ遊技機。
【請求項７】
前記権利発生判断手段は、前記特定入賞口にパチンコ球が入賞したことを検出するための入賞検出手段と、
前記特定入賞口の開口中に前記入賞検出手段によってパチンコ球の入賞が検出されない場合に前記権利が発生する可能性がないと判断する第５判断手段とを備えることを特徴とする請求項６に記載のパチンコ遊技機。
【請求項８】
前記権利発生判断手段は、前記判定図柄停止手段が停止表示させた図柄がはずれ図柄である場合に前記権利が発生する可能性がないと判断する第６判断手段を備えることを特徴とする請求項６または７に記載のパチンコ遊技機。
【発明の詳細な説明】
【０００１】
【発明の属する技術分野】
本発明は、第３種始動口付きパチンコ遊技機であって、普通図柄表示装置と特定入賞口とを備えたものに関する。
【０００２】
【従来の技術】
従来、第３種始動口付きパチンコ遊技機（以下「第３種パチンコ遊技機」または単に「パチンコ遊技機」という。）では、パチンコ球が始動口に入賞すると、あるいは始動ゲートを通過すると、普通図柄表示装置に図柄を変動表示させる。具体的には、図柄が印刷された回転ドラムを高速で回転させる。あるいは液晶ディスプレイの表示内容を高速で変化させる。そして、しばらくすると当り図柄あるいははずれ図柄が停止表示される。そして、当り図柄が停止表示された場合には、特定入賞口を一定時間開口させる。このとき特定入賞口に入賞したパチンコ球が特別装置作動領域に到達すると、遊技者にとって有利な遊技状態へ移行するための権利が発生する。そして、この権利が発生している状態で第３種始動口にパチンコ球が入賞すると、大入賞口を開口させる。
【０００３】
ところで、一般に、パチンコ球が特定入賞口に入賞してから特別装置作動領域に到達するまでの行程には、遊技者を楽しませるために様々な趣向が凝らされており、例えば、特定入賞口が開口している間は入賞したパチンコ球を保持し、特定入賞口が閉塞されてから数秒〜十数秒、場合によってはそれ以上の時間かけて特別装置作動領域へゆっくり導くものもある。そして、従来の第３種パチンコ遊技機は、一般に、特定入賞口が閉塞されてからパチンコ球が特別装置作動領域に到達するために十分な時間が経過するまでは、普通図柄表示装置に図柄を変動表示させない様に構成されている。これは、あまり早い時期に図柄を変動表示させると、それに伴って早い時期に図柄を停止表示させることになり、この停止表示させた図柄が当り図柄であると、特定入賞口が早い時期に再開口してしまい、権利が重複して発生することにより権利が消滅してしまう（以下「権利がパンクする」という。）おそれがあるからである。
【０００４】
【発明が解決しようとする課題】
しかし、従来の第３種パチンコ遊技機では、権利が発生するか否かにかかわらず、当り図柄が停止表示されてから次の変動表示が行われるまでの時間（以下「変動禁止時間」という。）は一定である。このため、例えば遊技者が発射強度を誤ったために特定入賞口の開口中に１つもパチンコ球が入賞せず、権利が発生しないことが明白であっても、設定された変動禁止時間（例えば２０秒間）が経過するまでは次の変動表示は行われない。このため、遊技者は当り図柄を呆然と見つめながら次の変動表示が行われるのを待たなければならず、場合によっては遊技者に不快感を与え、遊技者の遊技意欲を低下させてしまうこともある。
【０００５】
本発明は、この様な問題点を解決するためになされたものであり、特定入賞口が開口したにもかかわらず権利が発生しなかった場合に遊技者に与える不快感を軽減し、遊技意欲の低下を防止することができる第３種パチンコ遊技機を提供することを目的とする。
【０００６】
【課題を解決するための手段、及び発明の効果】
この様な目的を達成するため、本発明にかかるパチンコ遊技機は、請求項１に記載した様に、当り図柄及びはずれ図柄からなる複数の普通図柄の内の何れかの図柄を選択的に表示するための普通図柄表示装置と、パチンコ球が始動口に入賞した場合または始動ゲートを通過した場合に前記普通図柄表示装置に図柄を変動表示させる図柄変動手段と、該図柄変動手段による前記普通図柄表示装置の図柄の変動表示を解除して当該普通図柄表示装置に図柄を停止表示させる図柄停止手段と、該図柄停止手段が停止表示させた図柄が当り図柄である場合に予め設定された変動禁止時間だけ前記図柄変動手段の作動を禁止する変動禁止手段と、前記図柄停止手段が停止表示させた図柄が当り図柄である場合に予め設定された開口時間だけ開口する特定入賞口と、該特定入賞口内の一部に設定される特別装置作動領域と、前記特定入賞口の開口中に前記特定入賞口に入賞したパチンコ球が前記特別装置作動領域に到達した場合に遊技者にとって有利な遊技状態へ移行するための権利を発生させる権利発生手段と、前記始動口及び前記特定入賞口とは別に設けられた第３種始動口と、前記権利が発生している状態でパチンコ球が前記第３種始動口に入賞した場合に開口する大入賞口とを備えたパチンコ遊技機において、前記特定入賞口の開口中における当該特定入賞口へのパチンコ球の入賞状況または当該特定入賞口にパチンコ球が入賞することによって作動する装置の作動状況に基づいて前記権利が発生する可能性があるかないかを判断する権利発生判断手段と、該権利発生判断手段により前記権利が発生する可能性がないと判断された場合に前記変動禁止手段による禁止を解除して前記図柄変動手段の作動を許可する変動許可手段とを設けたことを特徴とする。
【０００７】
本発明にかかるパチンコ遊技機では、パチンコ球が始動口へ入賞すると、あるいは始動ゲートを通過すると、図柄変動手段が普通図柄表示装置に図柄を変動表示させ、その後、図柄停止手段が図柄を停止表示させる。そして、図柄停止手段が停止表示させた図柄が当り図柄である場合には、所定の開口時間（例えば６秒間）だけ特定入賞口が開口すると共に、所定の変動禁止時間（例えば２０秒間）が経過するまで変動禁止手段が図柄変動手段の作動を禁止する。そして、特定入賞口の開口中にパチンコ球が入賞し、さらに特定入賞口内の特別装置作動領域に到達すると、権利発生手段が権利を発生させる。その後、遊技者は、第３種始動口、大入賞口を狙ってパチンコ球を発射する。
【０００８】
そして、例えばパチンコ球の発射強度が適正でなかった等の理由から、特定入賞口が開口したにもかかわらず権利が発生し得ない状況、即ちパチンコ球が特別装置作動領域に到達し得ない状況に陥り、権利発生判断手段がその旨を検出した場合には、変動許可手段が、変動禁止手段による禁止を解除して図柄変動手段の作動を許可する。そして、この状態でパチンコ球が始動口へ入賞すれば、あるいは始動ゲートを通過すれば、または周知の入賞（通過）記憶装置にパチンコ球の入賞（通過）が記憶されていれば、図柄変動手段は普通図柄表示装置に図柄を変動表示させる。例えば、当り図柄が停止表示され、特定入賞口が６秒間開口して閉塞した時点で権利が発生し得ない旨が検出された場合には、当り図柄が停止表示されてから６秒経過直後に図柄の変動表示を開始させることができる。
【０００９】
この様に、本発明にかかるパチンコ遊技機においては、特定入賞口が開口したにもかかわらず権利が発生し得ない状況に陥った場合、当り図柄が停止表示されてから所定の変動禁止時間（例えば２０秒間）が経過していなくても図柄が変動表示されるので、遊技者は、停止表示された当り図柄を呆然と見つめながら次の変動表示が行われるのを待つ必要はない。従って、権利が発生しなかった場合に遊技者に与える不快感を軽減し、遊技意欲の低下を防止することができる、という効果が得られる。なお、本発明にかかるパチンコ遊技機は、特定入賞口が開口したにもかかわらず権利が発生しない場合に限って速やかに次の変動表示を行う様に構成されており、特定入賞口が開口して権利が発生した場合には、従来と同様に、当り図柄が停止表示されてから一定時間（例えば２０秒間）経過した後に次の変動表示が行われる。このため、権利がパンクし易くなることはない。
【００１０】
そして、請求項２に記載した様に、本発明にかかるパチンコ遊技機において、前記権利発生判断手段は、前記特定入賞口にパチンコ球が入賞したことを検出するための入賞検出手段と、前記特定入賞口の開口中に前記入賞検出手段によってパチンコ球の入賞が検出されない場合に前記権利が発生する可能性がないと判断する第１判断手段とを備える様に構成されていてもよい。
【００１１】
特定入賞口の開口中にパチンコ球が１つも入賞しなければ、権利が発生することはないので、本発明にかかるパチンコ遊技機がこの様に構成されている場合には、特定入賞口の開口が終了した時点で権利が発生しない旨を検出することができる。このため、速やかに次の変動表示を行うことができる。
【００１２】
また、請求項３に記載した様に、本発明にかかるパチンコ遊技機において、前記特定入賞口は、開口中に入賞したパチンコ球を一時的に停留させると共に閉塞後に停留を解除してパチンコ球を特別装置作動領域に向けて移動させる停留装置を備えるものであり、前記権利発生判断手段は、前記停留装置にパチンコ球が停留したことを検出するための停留検出手段と、該停留検出手段によって前記特定入賞口の開口中に入賞したパチンコ球の前記停留装置への停留が検出されない場合に前記権利が発生する可能性がないと判断する第２判断手段とを備える様に構成されていてもよい。
【００１３】
特定入賞口の内部に停留装置が設けられているパチンコ遊技機では、通常、特定入賞口の開口中に入賞したパチンコ球の１つが停留装置に停留され、残りははずれ孔に導かれる。そして、特定入賞口の開口が終了した後でパチンコ球の停留が解除され、停留されていたパチンコ球は特別装置作動領域に向かって移動する。このため、特定入賞口の開口中に入賞したパチンコ球が停留装置に停留しなければ、権利が発生することはない。従って、本発明にかかるパチンコ遊技機がこの様に構成されている場合にも、同様に、特定入賞口の開口が終了した時点で権利が発生しない旨を検出することができ、速やかに次の変動表示を行うことができる。なお、特定入賞口は、停留装置に停留されたパチンコ球が特別装置作動領域に確実に到達する様に構成されていてもよいし、停留装置に停留しても特別装置作動領域に到達しないこともある様に構成されていてもよい。
【００１４】
また、請求項４に記載した様に、本発明にかかるパチンコ遊技機において、前記特定入賞口は、１回の開口中に入賞したパチンコ球の個数が予め設定された条件個数以上である場合に入賞したパチンコ球を特別装置作動領域に向けて移動させる個数判断装置を備えるものであり、前記権利発生判断手段は、１回の開口中に前記特定入賞口に入賞したパチンコ球を計数するための入賞計数手段と、該入賞計数手段によって計数されたパチンコ球の個数が前記条件個数未満である場合に前記権利が発生する可能性がないと判断する第３判断手段とを備える様に構成されていてもよい。
【００１５】
特定入賞口の内部に個数判断装置が設けられているパチンコ遊技機では、特定入賞口にパチンコ球が条件個数以上入賞しなければ権利が発生することはないので、本発明にかかるパチンコ遊技機がこの様に構成されている場合にも、同様に、特定入賞口の開口が終了した時点で権利が発生しない旨を検出することができ、速やかに次の変動表示を行うことができる。なお、特定入賞口は、パチンコ球が条件個数以上入賞した場合にパチンコ球が特別装置作動領域に確実に到達する様に構成されていてもよいし、条件個数以上入賞しても特別装置作動領域に到達しないこともある様に構成されていてもよい。
【００１６】
また、請求項５に記載した様に、本発明にかかるパチンコ遊技機は、当り図柄及びはずれ図柄からなる複数の判定図柄の内の何れかの図柄を選択的に表示するための判定図柄表示装置と、前記特定入賞口内の一部に設定される判定図柄作動領域と、前記特定入賞口の開口中に入賞したパチンコ球が前記判定図柄作動領域に到達した場合に前記判定図柄表示装置に図柄を変動表示させる判定図柄変動手段と、該判定図柄変動手段による前記判定図柄表示装置の図柄の変動表示を解除して当該判定図柄表示装置に図柄を停止表示させる判定図柄停止手段と、該判定図柄停止手段が停止表示させた図柄が当り図柄である場合に前記特定入賞口に入賞したパチンコ球を特別装置作動領域に向けて移動させる図柄判断手段とを備え、前記権利発生判断手段は、前記判定図柄停止手段が停止表示させた図柄がはずれ図柄である場合に前記権利が発生する可能性がないと判断する第４判断手段を備える様に構成されていてもよい。
【００１７】
判定図柄表示装置を備えるパチンコ遊技機では、特定入賞口に入賞したパチンコ球が判定図柄作動領域に到達すると、判定図柄表示装置に図柄が停止表示されるまで、例えば判定図柄作動領域にパチンコ球をとどめておき、判定図柄表示装置に停止表示された図柄が当り図柄であればパチンコ球を特別装置作動領域に向けて移動させ、はずれ図柄であればパチンコ球をはずれ孔へ導く。このため、判定図柄表示装置に停止表示された図柄が当り図柄でなければパチンコ球が特別装置作動領域に到達することはない。従って、本発明にかかるパチンコ遊技機がこの様に構成されている場合には、判定図柄表示装置にはずれ図柄が停止表示された時点で権利が発生しない旨を検出することができ、速やかに次の変動表示を行うことができる。また、判定図柄表示装置を備えるパチンコ遊技機であれば、パチンコ球が判定図柄作動領域に到達したか否かを検出することによって権利が発生する可能性を判断することもできる。
【００１８】
なお、１つのパチンコ遊技機が複数種類の権利発生判断手段を組み合わせて備えていてもよい。例えば、請求項２に記載した権利発生判断手段は、請求項３乃至５に記載した何れの権利発生判断手段とも組み合わせることができる。また、例えば１回の開口中に入賞したパチンコ球が条件個数以上である場合に判定図柄表示装置が作動する様に構成されたパチンコ遊技機であれば、請求項４に記載した第３判断手段と請求項５に記載した第４判断手段とを組み合わせることができ、さらに請求項２に記載した第１判断手段も組み合わせることができる。この様に、複数種類の権利発生判断手段を組み合わせて備えていれば、権利が発生する可能性がないことをより詳細に把握することができ、本発明の効果が一層顕著となる。
【００１９】
また、判定図柄表示装置を備えるパチンコ遊技機には、パチンコ球が特別装置作動領域に到達すると、判定図柄表示装置に図柄を変動表示させるものもある。この様なパチンコ遊技機では、パチンコ球が特別装置作動領域に到達しただけでは権利は発生せず、パチンコ球が特別装置作動領域に到達した後、判定図柄表示装置に当り図柄が停止表示されると権利が発生する。このため、前述したパチンコ遊技機とは権利が発生する可能性の判断基準が異なる。そこで、第２の発明にかかるパチンコ遊技機は、請求項６に記載した様に、当り図柄及びはずれ図柄からなる複数の普通図柄の内の何れかの図柄を選択的に表示するための普通図柄表示装置と、パチンコ球が始動口に入賞した場合または始動ゲートを通過した場合に前記普通図柄表示装置に図柄を変動表示させる図柄変動手段と、該図柄変動手段による前記普通図柄表示装置の図柄の変動表示を解除して当該普通図柄表示装置に図柄を停止表示させる図柄停止手段と、該図柄停止手段が停止表示させた図柄が当り図柄である場合に予め設定された変動禁止時間だけ前記図柄変動手段の作動を禁止する変動禁止手段と、前記図柄停止手段が停止表示させた図柄が当り図柄である場合に予め設定された開口時間だけ開口する特定入賞口と、当り図柄及びはずれ図柄からなる複数の判定図柄の内の何れかの図柄を選択的に表示するための判定図柄表示装置と、前記特定入賞口内の一部に設定される特別装置作動領域と、パチンコ球が前記特別装置作動領域に到達した場合に前記判定図柄表示装置に図柄を変動表示させる判定図柄変動手段と、該判定図柄変動手段による前記判定図柄表示装置の図柄の変動表示を解除して当該判定図柄表示装置に図柄を停止表示させる判定図柄停止手段と、該判定図柄停止手段が停止表示させた図柄が当り図柄である場合に遊技者にとって有利な遊技状態へ移行するための権利を発生させる権利発生手段と、前記始動口及び前記特定入賞口とは別に設けられた第３種始動口と、前記権利が発生している状態でパチンコ球が前記第３種始動口に入賞した場合に開口する大入賞口とを備えたパチンコ遊技機において、前記特定入賞口の開口中における当該特定入賞口へのパチンコ球の入賞状況または当該特定入賞口にパチンコ球が入賞することによって作動する装置の作動状況に基づいて前記権利が発生する可能性があるかないかを判断する権利発生判断手段と、該権利発生判断手段により前記権利が発生する可能性がないと判断された場合に前記変動禁止手段による禁止を解除して前記図柄変動手段の作動を許可する変動許可手段とを設けたことを特徴とする。
【００２０】
第２の発明にかかるパチンコ遊技機では、普通図柄表示装置に当り図柄が停止表示されて特定入賞口が開口し、パチンコ球が特別装置作動領域に到達すると、判定図柄変動手段が判定図柄表示装置に図柄を変動表示させ、その後、判定図柄停止手段が図柄を停止表示させる。そして、停止表示された図柄が当り図柄である場合には、権利発生手段が権利を発生させる。しかし、特定入賞口が開口したにもかかわらず権利が発生し得ない状況に陥り、権利発生判断手段がその旨を検出した場合には、変動許可手段が図柄変動手段の作動を許可する。従って、請求項１に記載したパチンコ遊技機と同様に、権利が発生しなかった場合に遊技者に与える不快感を軽減し、遊技意欲の低下を防止することができる。
【００２１】
具体的には、請求項７に記載した様に、前記権利発生判断手段は、前記特定入賞口にパチンコ球が入賞したことを検出するための入賞検出手段を備え、前記特定入賞口の開口中に前記入賞検出手段によってパチンコ球の入賞が検出されない場合に前記権利が発生する可能性がないと判断する第５判断手段を備える様に構成されていてもよいし、請求項８に記載した様に、前記権利発生判断手段は、前記判定図柄停止手段が停止表示させた図柄がはずれ図柄である場合に前記権利が発生する可能性がないと判断する第６判断手段を備える様に構成されていてもよい。
【００２２】
なお、入賞検出手段、停留検出手段及び入賞計数手段は、パチンコ球の質量や運動エネルギー等を利用してパチンコ球の存在を検出するものであってもよいし、パチンコ球の電磁気的特性を利用して検出するものであってもよい。
【００２３】
【発明の実施の形態】
以下、本発明の一実施例を図面に基づいて説明する。
まず、本実施例のパチンコ遊技機の構成について説明する。
図１は、本実施例のパチンコ遊技機の遊技領域の外観を表す正面図である。図２は、パチンコ遊技機の特定入賞口の構造を表す正面図であり、（ａ）は電動チューリップが閉塞している状態、（ｂ）は電動チューリップが開口してパチンコ球が入賞している状態を表す。図３は、パチンコ遊技機の要部の構成を表すブロック図である。
【００２４】
本実施例のパチンコ遊技機１は、第３種始動口付きパチンコ遊技機であり、図１に示す様に、遊技領域３に、普通図柄表示装置１０と、普通図柄始動口２０と、特定入賞口３０と、第３種始動口５０と、大入賞口６０とを備える。普通図柄表示装置１０は、液晶ディスプレイを用いた周知のものである。そして、特定入賞口３０は、図２に示す様に、電動チューリップ３１と、停留装置３３と、振分部材３５と、特別装置作動領域３７と、はずれ孔３９と、仕切壁４１とを備える。停留装置３３は、樋状に形成されており、通常はパチンコ球５を停留することができる様に遊技盤面から突出しているが、後述する特定入賞口アクチュエータ３０ａが作動することによって遊技盤面に没入すると、パチンコ球５の停留が解除される様に構成されている。振分部材３５及び仕切壁４１は、遊技釘と同様にパチンコ球５の進行方向を変化させるためのものである。そして、電動チューリップ３１が開口している間にパチンコ球５が入賞すると、中央の停留装置３３に停留されるか、仕切壁４１の外側を通ってはずれ孔３９に入る。ただし、停留装置３３はパチンコ球５を１つしか停留することができないので、パチンコ球５が１つ停留すると、以降入賞したパチンコ球５はすべて仕切壁４１の外側を通ってはずれ孔３９に入る。そして、パチンコ球５が停留されている状態で停留装置３３が遊技盤面に没入すると、パチンコ球５はその場から落下して振分部材３５に衝突する。そして、パチンコ球５は左右何れかに振り分けられ、特別装置作動領域３７あるいははずれ孔３９に到達する。
【００２５】
また、パチンコ遊技機１は、この他、図３に示す様に、普通図柄始動口２０にパチンコ球５が入賞したことを検出するための普通図柄始動口センサ２０ｓと、特定入賞口３０にパチンコ球５が入賞したことを検出するための特定入賞口センサ３０ｓと、停留装置３３にパチンコ球５が停留したことを検出するための停留装置センサ３３ｓと、特別装置作動領域３７にパチンコ球５が到達したことを検出するための特別装置作動領域センサ３７ｓと、第３種始動口５０にパチンコ球５が入賞したことを検出するための第３種始動口センサ５０ｓと、大入賞口６０にパチンコ球５が入賞したことを検出するための大入賞口センサ６０ｓと、マイクロコンピュータ７０と、電動チューリップ３１の開閉及び停留装置３３の出没を行う特定入賞口アクチュエータ３０ａと、大入賞口６０の開閉を行う大入賞口アクチュエータ６０ａとを備える。マイクロコンピュータ７０は、各種演算制御処理を行うＣＰＵ７１と、ＣＰＵ７１の処理手順や普通図柄表示装置１０に表示される図柄の情報等を記憶するＲＯＭ７３と、ＣＰＵ７１の処理結果等を一時的に記憶するＲＡＭ７５と、センサ２０ｓ、３０ｓ、３３ｓ、３７ｓ、５０ｓ及び６０ｓによる検出内容をＣＰＵ７１に供給するための入力インタフェース７７と、ＣＰＵ７１による処理結果を普通図柄表示装置１０、特定入賞口アクチュエータ３０ａ及び大入賞口アクチュエータ６０ａに供給するための出力インタフェース７９とを備える。なお、本実施例のパチンコ遊技機１は、この他にも、従来のパチンコ遊技機と同様に一般入賞口等を備えるが、説明は省略する。
【００２６】
続いて、本実施例のパチンコ遊技機の作用について説明する。
まず、図示しない電源装置からパチンコ遊技機１に電力が供給されると、ＣＰＵ７１は、初期設定処理等を行った後、普通図柄始動口センサ２０ｓからの入力があるまで待機する。そして、遊技者が遊技を開始してパチンコ球５が普通図柄始動口２０に入賞し、普通図柄始動口センサ２０ｓがパチンコ球５の入賞を検出すると、ＣＰＵ７１は、図４のフローチャートに示す処理を開始する。なお、以下の処理が行われている間に普通図柄始動口２０にパチンコ球５が入賞した回数については、周知の入賞記憶装置により、最大４回まで記憶される。
【００２７】
この処理が開始されると、ＣＰＵ７１は、数秒間、普通図柄表示装置１０に図柄を変動表示させ（Ｓ１０）、その後、停止表示させる（Ｓ２０）。なお、停止表示される図柄は、通常、普通図柄始動口センサ２０ｓによる検出タイミング等によって定められる。また、図柄を停止表示させる時期は、変動表示の起因となったパチンコ球５の入賞時点から、５秒以上経過した後となっている。そして、普通図柄表示装置１０に停止表示された図柄がはずれ図柄である場合には（Ｓ３０において「ＮＯ」）、処理を終了する。
【００２８】
一方、普通図柄表示装置１０に停止表示された図柄が当り図柄である場合には（Ｓ３０において「ＹＥＳ」）、特定入賞口アクチュエータ３０ａに指令を出し、電動チューリップ３１を６秒間開口させる（Ｓ４０）。そして、電動チューリップ３１が開口している間にパチンコ球５が入賞し、特定入賞口センサ３０ｓがパチンコ球５の入賞を検出し、かつ停留装置センサ３３ｓがパチンコ球５の停留を検出した場合には（Ｓ５０、Ｓ６０において「ＹＥＳ」）、ＣＰＵ７１は、電動チューリップ３１の開口が終了した２秒後に、特定入賞口アクチュエータ３０ａに指令を出して停留装置３３による停留を解除させ、パチンコ球５を落下させる（Ｓ７０）。そして、２秒間待機する（Ｓ８０）。この待機時間は任意に設定することができるが、本実施例のパチンコ遊技機１では、パチンコ球５が特別装置作動領域３７に余裕を持って到達することができる時間として２秒間に設定されている。そして、落下したパチンコ球５が特別装置作動領域３７に到達し、特別装置作動領域センサ３７ｓがその旨を検出した場合には（Ｓ９０において「ＹＥＳ」）、ＣＰＵ７１は、遊技者にとって有利な遊技状態へ移行するための権利を発生させる。具体的には、ＲＡＭ７５の権利状態記憶領域の記憶内容を０から１に更新する（Ｓ１００）。そして、処理を終了する。しかし、停留装置３３の停留が解除されて２秒経過してもパチンコ球５が特別装置作動領域３７に到達しない場合には（Ｓ９０において「ＮＯ」）、権利を発生させずに処理を終了する。
【００２９】
一方、特定入賞口センサ３０ｓがパチンコ球５の入賞を検出しなかった場合、即ち特定入賞口３０にパチンコ球５が１つも入賞しなかった場合には（Ｓ５０において「ＮＯ」）、処理を終了する。また、特定入賞口センサ３０ｓがパチンコ球５の入賞を検出した場合（Ｓ５０において「ＹＥＳ」）であっても、停留装置センサ３３ｓがパチンコ球５の停留を検出しなかった場合、即ち特定入賞口３０に入賞したパチンコ球５が停留装置に停留しなかった場合にも（Ｓ６０において「ＮＯ」）、同様に処理を終了する。
【００３０】
そして、上記処理が終了した時点で、前述した入賞記憶装置が入賞を記憶している場合には、ＣＰＵ７１は、Ｓ１０から処理を行うと共に、入賞記憶装置に記憶されている入賞回数を１減少させる。
また、権利が発生している状態、具体的にはＲＡＭ７５の権利状態記憶領域の記憶内容が１である状態において、第３種始動口５０にパチンコ球５が入賞し、第３種始動口センサ５０ｓによって検出されると、ＣＰＵ７１は、大入賞口アクチュエータ６０ａに指令を出して大入賞口６０を開口させ、パチンコ球５が１０個入賞すると、あるいは１０秒経過すると閉塞させる。そして、大入賞口６０の開口が終了した後、再び第３種始動口５０にパチンコ球５が入賞し、第３種始動口センサ５０ｓによって検出されると、ＣＰＵ７１は、大入賞口アクチュエータ６０ａに指令を出し、大入賞口６０を再び開口させる。そして、第３種始動口５０への入賞に基づく大入賞口６０の開口動作は最高１６回行われる。ただし、権利がパンクした場合には１６回に満たなくても終了する。なお、大入賞口６０の開閉動作については、一般によく知られているので、詳細な説明は省略する。
【００３１】
次に、本実施例のパチンコ遊技機で、実際に遊技者が遊技を行った場合の具体的な遊技内容について一例を挙げて説明する。
まず、遊技者が遊技を開始し、パチンコ球５が普通図柄始動口２０に入賞すると、ＣＰＵ７１により、普通図柄表示装置１０に図柄が数秒間変動表示され（Ｓ１０）、その後停止表示される。そして、はずれ図柄が停止表示されると（Ｓ３０において「ＮＯ」）、処理は終了する。逆に、当り図柄が停止表示されると（Ｓ３０において「ＹＥＳ」）、電動チューリップ３１が６秒間開口する（Ｓ４０）。そして、開口中にパチンコ球５が入賞し、さらにパチンコ球５が停留装置３３に停留すると（Ｓ５０、Ｓ６０において「ＹＥＳ」）、開口が終了した２秒後に停留が解除され、パチンコ球５が落下する。そして、パチンコ球５が特別装置作動領域３７に到達すると（Ｓ９０において「ＹＥＳ」）、権利が発生して処理が終了する。逆に、パチンコ球５がはずれ孔３９に到達すると（Ｓ９０において「ＮＯ」）、権利が発生しないまま処理が終了する。
【００３２】
一方、電動チューリップ３１が開口している間にパチンコ球５が１つも入賞しなかった場合、あるいは電動チューリップ３１に入賞したパチンコ球５が停留装置３３に停留しなかった場合には（Ｓ５０あるいはＳ６０において「ＮＯ」）、処理を終了する。即ち、電動チューリップ３１の開口が終了した直後に処理を終了する。そして、このとき、前述した入賞記憶装置に入賞が記憶されている場合には、即座にＳ１０の処理、即ち図柄の変動表示が行われる。
【００３３】
次に、本実施例のパチンコ遊技機の効果について説明する。
本実施例のパチンコ遊技機においては、特定入賞口３０（電動チューリップ３１）が開口したにもかかわらず特定入賞口３０への入賞がなかった場合、あるいは入賞したパチンコ球５が停留装置３３に停留しなかった場合には、電動チューリップ３１の開口が終了した時点で権利が発生し得ない旨を検出し、停留解除処理（Ｓ７０）や２秒間待機処理（Ｓ８０）等を行わずに処理を終了することにより、速やかに次の変動表示を行うことができる。このため、遊技者が、当り図柄を呆然と見つめながら次の変動表示が行われるのを待つことはない。従って、権利が発生しなかった場合に遊技者に与える不快感を軽減し、遊技意欲の低下を防止することができる、という効果が得られる。
【００３４】
なお、上記実施例において、普通図柄始動口２０が始動口に該当し、特定入賞口センサ３０ｓが入賞検出手段に該当し、停留装置センサ３３ｓが停留検出手段に該当し、ＣＰＵ７１が行う処理の内、Ｓ３０において「ＹＥＳ」と判断されてから、Ｓ９０において「ＮＯ」と判断されるまで、あるいはＳ１００において権利が発生するまで、原則として約１０秒間処理を終了させない、即ち原則として当り図柄が停止表示されてから約１０秒間次の変動表示を行わせない様にする処理が変動禁止手段の処理に該当し、Ｓ１０の処理が図柄変動手段の処理に該当し、Ｓ２０の処理が図柄停止手段の処理に該当し、Ｓ５０及びＳ６０の処理が権利発生判断手段（Ｓ５０が第１判断手段、Ｓ６０が第２判断手段）の処理に該当し、Ｓ５０及びＳ６０において「ＮＯ」と判断された場合の処理が変動許可手段の処理に該当し、Ｓ１００の処理が権利発生手段の処理に該当する。
【００３５】
以上、本発明の一実施例について説明したが、本発明は上記実施例に何等限定されるものではなく、上記実施例以外にも種々の形態で実施することができる。例えば、上記実施例のパチンコ遊技機では、振分部材３５が設けられているので、パチンコ球５が停留装置３３に停留しても、特別装置作動領域３７に到達しないこともあるが、この様な振分部材３５を設けず、停留装置３３に停留したパチンコ球５が確実に特別装置作動領域３７に到達する様に構成されていてもよい。なお、この様に構成されている場合には、権利の発生中にパチンコ球５が停留すると、数秒後には確実に権利がパンクすることになる。そこで、権利が発生しているときにパチンコ球５の停留が検出された場合には速やかに次の変動表示を開始する様に構成してもよい。この様に構成した場合には、権利がパンクした後、速やかに次の変動表示を行うことができ、早い時期に停止表示を行うことができるので、権利がパンクした際に遊技者に与える不快感も軽減させることができ、遊技意欲の低下を防止することができる。
【００３６】
また、上記実施例に挙げた特定入賞口３０の代わりに、開口している間に所定個数以上のパチンコ球５が入賞した場合にパチンコ球５を特別装置作動領域に向けて移動させる様に構成された特定入賞口を適用してもよい。なお、この特定入賞口は、所定個数以上のパチンコ球５が入賞した場合には確実に特別装置作動領域に到達する様に構成されていてもよいし、上記実施例と同様に到達しない場合があってもよい。そして、確実に到達する様に構成されている場合には、権利の発生中に所定個数以上のパチンコ球５が入賞すると、数秒後には確実に権利がパンクすることになる。そこで、権利が発生しているときに所定個数以上のパチンコ球５の入賞が検出された場合には速やかに次の変動表示を開始する様に構成してもよい。
また、判定図柄表示装置を備え、判定図柄表示装置に当り図柄が停止表示された場合に権利が発生する様に構成されたパチンコ遊技機においては、判定図柄表示装置にはずれ図柄が停止表示された場合に速やかに普通図柄表示装置１０の次の変動表示を開始する様に構成すれば、上記実施例と同様の効果を得ることができる。また、権利の発生中に判定図柄表示装置に当り図柄が停止表示されると、数秒後には確実に権利がパンクするので、判定図柄表示装置に当り図柄が停止表示された場合には速やかに普通図柄表示装置１０の次の変動表示を開始する様に構成してもよい。
【００３７】
また、上記実施例において、権利の発生中に図柄の変動表示が行われている場合には、できるだけ遅い時期に停止表示させると共に、図柄の変動表示が行われている間に権利が消滅した場合（大入賞口６０の１６回目の開口が終了した場合、あるいは権利がパンクした場合）には、即座に停止表示させる様に構成してもよい。パチンコ遊技機１がこの様に構成されている場合には、権利のパンクを極力遅くすることができると共に、権利がパンクした直後に次の変動表示を開始することができる。ただし、権利がパンクした時点で大入賞口６０が開口している場合には、大入賞口６０の開口が終了してから図柄の停止表示を行う。また、この様に構成した場合には、大入賞口６０の開口が１６回目であれば、権利がパンクしても影響がないので、権利が終了する前から普通図柄始動口２０を狙い、早い時期に図柄の変動表示を開始することができる。
【００３８】
さらにまた、上記実施例において、特定入賞口３０の開口が終了した時点で普通図柄表示装置１０に図柄を変動表示させ、特定入賞口３０にパチンコ球５が１つも入賞しなかった場合、あるいは停留装置３３にパチンコ球５が停留しなかった場合には、処理が終了した直後に図柄を停止表示させる様に構成してもよい。パチンコ遊技機１がこの様に構成されている場合には、次の変動表示が開始されるまでの待ち時間が非常に短いので、権利が発生しなかった場合に遊技者に与える不快感を一層軽減し、遊技意欲の低下を防止することができる。また、権利が発生した場合には、できるだけ遅い時期に図柄の停止表示を行う様に構成するとさらによい。この様に構成されている場合には、次に停止表示される図柄が当り図柄であったとしても、表示されるまでに十分な時間があるので、権利の重複発生を回避することにより、権利のパンクを防止することができる。
【００３９】
ただし、現行の規則では、パチンコ球５が普通図柄始動口２０に入賞してから５秒経過していなければ図柄の停止表示を行うことはできず、また、図柄の変動表示時間は３０秒を越えてはならないので、これらの条件を満足する範囲で早い時期及び遅い時期を設定する。なお、規則が変更されれば、それに伴って変更することができる。
【図面の簡単な説明】
【図１】  パチンコ遊技機の遊技領域の外観を表す正面図である。
【図２】  パチンコ遊技機の特定入賞口の構造を表す正面図である。
【図３】  パチンコ遊技機の要部の構成を表すブロック図である。
【図４】  パチンコ遊技機のＣＰＵが行う処理の流れを表すフローチャートである。
【符号の説明】
１…パチンコ遊技機    ３…遊技領域    ５…パチンコ球    １０…普通図柄表示装置    ２０…普通図柄始動口    ２０ｓ…普通図柄始動口センサ    ３０…特定入賞口    ３０ａ…特定入賞口アクチュエータ    ３０ｓ…特定入賞口センサ    ３１…電動チューリップ    ３３…停留装置    ３３ｓ…停留装置センサ    ３５…振分部材    ３７…特別装置作動領域    ３７ｓ…特別装置作動領域センサ    ３９…はずれ孔    ４１…仕切壁    ５０…第３種始動口    ５０ｓ…第３種始動口センサ    ６０…大入賞口    ６０ａ…大入賞口アクチュエータ    ６０ｓ…大入賞口センサ    ７０…マイクロコンピュータ    ７１…ＣＰＵ    ７３…ＲＯＭ    ７５…ＲＡＭ    ７７…入力インタフェース    ７９…出力インタフェース。
【図１】
0004126743.tif 000002
【図２】
0004126743.tif 000003
【図３】
0004126743.tif 000004
【図４】
0004126743.tif 000005